(57)【要約】  ハウジング（２）内に配設され、該ハウジング（２）の透光板（３）を介して照明ビームを発する少なくとも１つの光源（４）を有する照明装置（１）であり、前記透光板（３）が、局所的により高い強度を持つ光が、その場所において、局所的により低い強度を持つ光より強く反射されるようにして、該透光板（３）における入射光を反射する手段を具備する照明装置（１）であって、前記透光板（３）と、前記手段とが、一緒に、１つの拡散反射材料で作成される構成部材を形成するという特別な特徴を備える照明装置（１）。
2007511878.tif 000002
【特許請求の範囲】
【請求項１】
ハウジング内に配設され、該ハウジングの透光板を介して照明ビームを発する少なくとも１つの光源を有する照明装置であり、前記透光板が、局所的により高い強度を持つ光が、その場所において、局所的により低い強度を持つ光より強く反射されるようにして、該透光板における入射光を反射する手段を具備する照明装置であって、前記透光板と、前記手段とが、一緒に、１つの拡散反射材料で作成される構成部材を形成することを特徴とする照明装置。
【請求項２】
前記部材が、拡散反射粒子を有するプラスチック材料で作成される請求項１に記載の照明装置。
【請求項３】
前記拡散反射粒子が、ハロリン酸カルシウム、ピロリン酸カルシウム、MgO、YBO3、TiO2又はAl2O3の粒子を有する請求項２に記載の照明装置。
【請求項４】
前記プラスチック材料が、アクリル樹脂、フッ素樹脂、ポリシロキサン、ポリエステル、ポリカーボネートから成るグループから選ばれる請求項２又は３に記載の照明装置。
【請求項５】
前記部材が、前記光源に近い場所における該部材の厚さが、該光源からより遠く離れた場所における該部材の厚さより厚いようにして変化する厚さを持つプロファイルを有する請求項１乃至４のいずれか一項に記載の照明装置。
【請求項６】
前記プロファイルが、研削又は型押しを介して作成される請求項５に記載の照明装置。
【請求項７】
前記プロファイルが、成形又は押し出し成形を介して作成される請求項５に記載の照明装置。
【請求項８】
ハウジング内に配設され、該ハウジングの透光板を介して照明ビームを発する少なくとも１つの光源を有する照明装置であって、前記透光板が、局所的により高い強度を持つ光が、その場所において、局所的により低い強度を持つ光より強く反射されるようにして、該透光板における入射光を反射する手段を具備する照明装置から発せられる光の強度の横方向均一化のための方法であって、前記透光板と、前記手段とが、一緒に、１つの拡散反射材料で作成される構成部材として形成されることを特徴とする方法。
【発明の詳細な説明】
【技術分野】
【０００１】
本発明は、ハウジング内に配設され、該ハウジングの透光板(light-transmitting plate)を介して照明ビームを発する少なくとも１つの光源を有する照明装置であって、前記透光板が、局所的により高い強度を持つ光が、その場所において、局所的により低い強度を持つ光より強く反射されるようにして、該透光板における入射光を反射する手段を具備する照明装置に関する。
【背景技術】
【０００２】
このような照明装置は広く知られている。既知の照明装置は、通常、広告柱(advertising columns)、広告掲示板若しくはLCD画面の背面照明、一般照明用途のために壁部若しくは天井に取り付けられる平坦な照明タイル若しくは照明壁の実現、又はＸ線写真の目視検査のために用いられるライトボックスなどの平坦なライトボックスである。通例、ライトボックス内にある少なくとも１つの光源は、光源により透光板から離れる方向に発せられた光を透光板に反射し戻す反射器によって少なくとも部分的に囲まれる。このような製品に関する重要な実際的な要求は、例えば、ライトボックスの場合には１本以上のＴＬチューブの形態の光源の場所及び形状が、外部からそのようなものと識別され得ないように、透光板から出る光は、実質的に該板の領域全体にわたって実質的に均一の強度を呈さなければならないというものである。これを達成するために、通常、有機バインダマトリックス(organic binder matrix)内に分散させられた光拡散無機粒子から成る局所的に異なる厚さを持つ被覆を、例えば吹付によって、透光板全体に施すことは既知である。局所的に異なる厚さは、板における入射光の光学反射を局所的に変化させ、局所的に相対的により厚い被覆は、問題の場所において、局所的に相対的により薄い被覆より高い反射率をもたらす。従って、被覆の厚さにおける局所的な変化は、被覆により、局所的により高い強度を持つ光が、問題の場所において、局所的により低い強度を持つ光より強く反射されるようにして、被覆が、板における入射光を反射するように選択されなければならない。
【０００３】
既知の照明装置の１つの不利な点は、とりわけ、非常に平坦なライトボックスの場合に、板上の被覆の必要とされる横方向の厚さプロファイル(lateral thickness profile)が、透光板全体にわたって所望の反射／透過勾配(reflection/transmission gradient)をもたらすためには、非常に大きく、更に、非常に正確に調節されている横方向の厚さ勾配を呈さなければならないので、実際には、十分に確実且つ効率的にこのような被覆を施すことが不可能であることにある。
【発明の開示】
【課題を解決するための手段】
【０００４】
本発明の目的は、従来技術のこの不利な点を解決することにあり、その目的を達成するために、導入部において言及されているような本発明による種類の照明装置は、前記透光板と、前記手段とが、一緒に、１つの拡散反射材料で作成される構成部材(constructional element)を形成することを特徴とする。換言すれば、前記透光板は、それ自身の拡散反射板であり、以下では拡散器とも呼ばれ、拡散反射材料の板の製造によるものである。それによって達成される視覚上の効果は、前記照明装置によって発せられる光が、横方向に均一な強度を持つというものである。
【０００５】
本発明による照明装置の或る好ましい実施例においては、前記部材は、拡散反射粒子を有するプラスチック材料で作成される。詳細には、前記拡散反射粒子は、ハロリン酸カルシウム(calcium halophosphate)、ピロリン酸カルシウム(calcium pyrophosphate)、MgO、YBO3、TiO2又はAl2O3の粒子を有する。別の方法では、プラスチック材料製の前記部材は、拡散反射材料を作成するために、該プラスチック材料内に封入された気泡を有する。拡散反射はまた、前記プラスチック材料の結晶構造によっても実現され得る。前記プラスチック材料は、好ましくは、アクリル樹脂、フッ素樹脂、ポリシロキサン、ポリエステル、ポリカーボネートから成るグループから選ばれる。
【０００６】
本発明による照明装置の別の好ましい実施例においては、前記部材は、前記光源に近い場所における該部材の厚さが、該光源からより遠く離れた場所における該部材の厚さより厚いようにして変化する厚さを持つプロファイルを有する。前記プロファイルは、前記拡散器の、前記光源の方を向いている面、又は前記光源から離れる方を向いている面に配置され得る。より詳細には、前記光源と対向する場所における前記拡散器による光の透過率は、結果的に、該光源から最大距離離れている場所における該拡散器による光の透過率の80%になる。
【０００７】
本発明による照明装置の別の好ましい実施例においては、前記プロファイルは、研削又は型押しを介して作成される。別の方法では、前記プロファイルは、成形又は押し出し成形を介して作成される。
【０００８】
本発明はまた、ハウジング内に配設され、該ハウジングの透光板を介して照明ビームを発する少なくとも１つの光源を有する照明装置であって、前記透光板が、局所的により高い強度を持つ光が、その場所において、局所的により低い強度を持つ光より強く反射されるようにして、該透光板における入射光を反射する手段を具備する照明装置から発せられる光の強度の横方向均一化のための方法であって、前記透光板と、前記手段とが、一緒に、１つの拡散反射材料で作成される構成部材として形成されることを特徴とする方法にも言及する。
【０００９】
ここで、図面において例示されている図を参照して、より詳細に本発明を説明する。
【発明を実施するための最良の形態】
【００１０】
図は、ライトボックス１の形態の照明装置であって、その内側に反射材料２を含み、その上に取り付けられるガラス又はプラスチック板３を含む照明装置を示している。ハウジング２内のＴＬチューブ４が確実に外部から識別され得ないようにするために、板３における入射光であって、ＴＬチューブ４から来る入射光は、板３の全領域にわたって均一な強度で板３を出るようにされなければならない。この目的のため、板３自体を、拡散反射材料、例えば、PMMA（ポリメチルメタクリレート）であって、その中に分散させたAl2O3粒子を持つPMMAで作成することによって、板３は、それ自身の拡散器として構築され、即ち、ＴＬチューブからの光を拡散反射するようにして透過する。
【００１１】
板３をＴＬチューブ４と対向する場所においては他の場所より局所的に厚くすることによって、局所的により高い強度を持つ光は、その場所（即ち、ＴＬチューブ４と対向する場所）において、局所的により低い強度を持つ（即ち、例えば、隣接するＴＬチューブ４の間の場所における）光より強く反射されるであろう。
【００１２】
本発明は、示されている実施例に限定されず、添付されている特許請求の範囲の範囲内にある他の実施例にも及ぶ。
【図面の簡単な説明】
【００１３】
【図１】本発明による照明装置の概略的な断面図である。
【図１】
2007511878.tif 000003
【国際調査報告】
2007511878.tif 000004
2007511878.tif 000005
2007511878.tif 000006